(57)【要約】【課題】  第一電子写真印刷装置から接続装置に搬送される用紙の搬送速度が印刷モードによって異なっても、第二電子写真印刷装置に所定の速度で用紙を搬送できるため安定した印刷動作を提供する。【解決手段】  第一電子写真印刷装置と第二電子写真印刷装置を接続する接続装置内で、第一電子写真印刷装置から異なる速度で排出される用紙を接続装置に具備した搬送ローラの速度を可変し、かつ第二電子写真印刷装置に入る前に用紙の速度を所定速度にすることを特徴とする。【選択図】図２
2005059991.tif 000002
【特許請求の範囲】
【請求項１】
加圧・加熱式の定着部を有した第一電子写真印刷装置及び第二電子写真印刷装置を接続装置により接続して構成した電子写真印刷装置において、前記第一電子写真印刷装置から前記第二電子写真印刷装置に搬送される用紙速度が２通り以上ある場合でも前記第二電子写真印刷装置へ搬送する用紙速度を一定にできることを特徴とする電子写真印刷装置。
【請求項２】
前記第一電子写真印刷装置直後に配置された搬送ローラの速度を切替えるようにしたことを特徴とする請求項１項記載の電子写真印刷装置。
【請求項３】
前記第一電子写真印刷装置直後に配置された搬送ローラは、搬送されてくる用紙の搬送速度に応じて切替えた後、さらに前記第二電子写真印刷装置に搬送される前に用紙速度を一定とすることを特徴とする請求項１項記載の電子写真印刷装置。
【請求項４】
前記接続装置は搬送されてくる用紙の搬送速度を上位装置から用紙搬送データとして受信することを特徴とする請求項１項記載の電子写真印刷装置。
【発明の詳細な説明】
【技術分野】
【０００１】
本発明は、記録紙等の用紙を供給する用紙給送装置から送り出された用紙の表裏両面に印刷可能な電子写真印刷装置に関するものである。
【背景技術】
【０００２】
図１を用いて、２台の電子写真印刷装置を接続装置により接続して構成した電子写真印刷装置を説明する。
【０００３】
図１において、第一電子写真印刷装置２５と第二電子写真印刷装置２７は接続装置２６によって、相互に接続されている。本電子写真印刷装置にて両面印刷を行う場合は、第一電子写真印刷装置２５にて片面印刷を行った後、ゲート部材１２にて未印刷面を上面として接続装置２６に用紙を排出する。接続装置２６は第一電子写真印刷装置２５から排出された印刷用紙を冷却ファン３０により冷却し、用紙搬送路３１、３２、３３を介して後段に接続された第二電子写真印刷装置２７へ用紙を受け渡す。電子写真印刷装置は未印刷面に片面印刷を行ったのち、図示しない後処理機に用紙を排出する。これにより高速両面印刷を行うことを可能としている。また後段に接続された第二電子写真印刷装置２７にカラートナーを投入し、２色両面印刷を行うことも可能である。この場合はまず第一電子写真印刷装置２５にて用紙の両面に印刷を行った後、接続装置２６を介して後段の第二電子写真印刷装置２７に用紙を排出する。第二電子写真印刷装置２７には例えば赤の色を持つトナーにより両面印刷を行い、図示しない後処理機に用紙を排出する（例えば、特許文献１参照。）。
【０００４】
しかし、第一電子写真印刷装置２５から排出される印刷用紙は印刷面を上にしたフェースアップ印刷モードと印刷面を下にしたフェースダウン印刷モードの２種類がある。フェースアップ印刷モードはほぼプロセス速度でありフェースダウン印刷モードはプロセス速度の約２倍である。つまり、接続装置２６の搬送制御としてはフェースアップ印刷モードとフェースアップ印刷モードの異なる用紙の搬送速度を受け入れられるようになっていなければならない。
【０００５】
【特許文献１】特公昭５４−２７１４３号公報
【発明の開示】
【発明が解決しようとする課題】
【０００６】
上記のように電子写真印刷装置の用紙排出は、フェースアップモード（排出時、印刷面が上）とフェースダウンモード（排出時印刷面が下）の２通りがあり、第一電子写真印刷装置から第二電子写真印刷装置への搬送モードも２通りになる。この場合、第一電子写真印刷装置から搬送される用紙速度に対応して接続装置内の用紙搬送を行う必要がある。
【課題を解決するための手段】
【０００７】
上記目的を達成するために本発明は、第一電子写真印刷装置と第二電子写真印刷装置を接続する接続装置内で前記第一電子写真印刷装置から異なる速度で排出される用紙を前記接続装置に具備した搬送ローラの速度を可変し、かつ前記第二電子写真印刷装置に入る前に用紙の速度を所定速度にすることを特徴とする。
【発明の効果】
【０００８】
本発明によれば、第一電子写真印刷装置から接続装置に搬送される用紙の搬送速度が印刷モードによって異なっても第二電子写真印刷装置に所定の速度で用紙を搬送できるため、安定した印刷動作が可能となる。
【発明を実施するための最良の形態】
【０００９】
以下に本発明に係る一実施例の形態について、図面を参照して説明する。
【実施例】
【００１０】
図１は本発明の電子写真印刷装置の一実施例を示す全体構成図であり、その全体概略構成を図１を用いて説明する。
【００１１】
図１において１、２、３は夫々用紙給送装置であり、用紙給送装置３は用紙給送装置１、２に比べ用紙収納量が多く、レーザプリンタに対して大量に用紙を供給することができる。用紙給送装置１、２、３は、図１の紙面に対し垂直方向へ引出し可能であり、各用紙給送装置１、２、３が所定の装着位置に押し込まれてプリンタ本体に装填されると、図示しない光学センサが各用紙給送装置１、２、３の装填を検出し、図示しない昇降テーブル駆動用ギアと係合し、昇降テーブルに積載された用紙の最上面（昇降テーブル上に用紙が存在しない場合は昇降テーブル上面）が、給紙ローラ２０、２１、２２に当接するまで昇降テーブルの上昇動作が行われる。４、４ａは感光ドラムを示し、図示しないコントローラからの信号に基づいて回転を始める。感光ドラム４、４ａが回転を開始すると、図示しないコロナ帯電器によって感光ドラム４、４ａ表面が均一に帯電される。帯電した感光ドラム４、４ａには、光学系１１、１１ａにより静電潜像が形成される。静電潜像は図示しない現像装置の位置に到達するとトナーによって現像され、感光ドラム４、４ａ上にトナー像として可視化される。こうして公知の電子写真プロセスにより形成されたトナー像は転写器５、５ａにより用紙給送装置１、２、３から送り出されてきた用紙に転写される。６、６ａは定着装置であり、用紙に転写されたトナー像を定着させる。なお、１２、１２ａは搬送される用紙の方向を切替えるゲート部材である。前記感光ドラム４、転写器５、定着装置６、及び感光ドラムａ、転写器５ａ、定着装置６ａは夫々画像形成手段を構成する。
【００１２】
１４、１４ａは送紙路で、用紙給送装置１、２、３、画像形成手段を連絡する用紙搬送路として設けられている。１３、１３ａは引込み路を示し、画像形成手段に対し用紙搬送方向下流側の送紙路１４、１４ａから分岐して設けられており、ゲート部材１２、１２ａの切り替えにより定着装置６、６ａから送り出されてきた用紙を選択的に引き込む。１５、１５ａは戻し路を示し、引込み路１３、１３ａの途中から分岐し、その終端を画像形成手段４、５、６及び４ａ、５ａ、６ａに対し用紙搬送方向上流側の送紙路１４、１４ａに合流させて設けられている。
【００１３】
従って、用紙の両面に画像記録を行う場合は、定着装置６、６ａから送り出されてきた用紙を引込み路１３、１３ａへ引き込み、この引き込んだ用紙を戻し路１５、１５ａに送り出すことによって、片面記録済みの用紙を再び画像形成手段に送り込み、これによって両面画像記録が実行される。なお、図において７、８、７ａ、８ａはゲート部材１２、１２ａの前後に設けられた搬送ローラ、９、１０、９ａ、１０ａは引込み路１３、１３ａ上に設けられた正転／逆転切り替え可能な搬送ローラ、１６、１６ａは引込み路１３、１３ａに引き込まれた用紙を戻し路１５、１５ａへ案内、あるいは再び送紙路１４、１４ａ側へ戻す様に案内するためのゲート部材である。
【００１４】
次に、図２を用いて接続装置２６内に搬送された用紙搬送方法に関して詳細に説明する。
第一電子写真印刷装置２５から出た用紙は、印刷モードにより一般に印刷面を上にしたフェースアップ印刷モードと印刷面を下にしたフェースダウン印刷モードがある。フェースアップ印刷モードの搬送速度はほぼ印刷プロセス速度である。フェースダウン印刷モードの用紙の搬送速度は、フェースアップ印刷モードの約２倍近い搬送速度である。この印刷モードの違いは搬送速度の差として現れ、そのまま第一電子写真印刷装置２５と第二電子写真印刷装置２７を繋ぐ接続装置２６の用紙搬送路３１へ搬送されることになる。
【００１５】
第一電子写真印刷装置２５から排出された用紙がフェースダウン印刷モード時は、搬送ローラ５１手前の用紙検出センサ５５で用紙先端を検出して搬送ローラ５１と搬送ローラ５２をモータ５６でプロセス速度からフェースダウン印刷速度に切替える。次に搬送ローラ５３の手前の用紙検出センサ５７で用紙先端を検出して搬送ローラ５３を搬送ローラ５１、５２と同様にモータ５８でプロセス速度からフェースダウン印刷速度に切り替え、搬送ローラ５３を用紙が通過し用紙検出センサ５９で用紙を検出したら搬送ローラ５１、５２、５３をフェースダウン印刷速度からプロセス速度に切替える。さらに用紙は、モータ６０で駆動される搬送ローラ５４とモータ６５で駆動される搬送ローラ６１、６２、６３、６４で第二電子写真印刷装置２７に所定速度であるプロセス速度で搬送される。
上記は、第一電子写真印刷装置２５から接続装置２６への印刷モードがフェースダウン印刷モードであるがフェースアップ印刷モード時は各搬送ローラの搬送速度は切替えることがなく、プロセス速度一定で搬送される。
【００１６】
ここで、接続装置２６の用紙搬送動作として必要とされる用紙の印刷モードがフェースアップ印刷であるかフェースダウン印刷であるかは、図示しないコントローラから接続装置２６にコントロールコマンドとして報告される。
【００１７】
従って、第一電子写真印刷装置２５から第二電子写真印刷装置２７に搬送される用紙は常にプロセス速度で一定とされ安定した印刷動作が可能となる。
【図面の簡単な説明】
【００１８】
【図１】本発明に係る電子写真印刷装置の一実施例を示す構成図である。
【図２】本発明に係る電子写真印刷装置における接続装置の構成図である。
【符号の説明】
【００１９】
１、２、３は用紙給送装置、４、４ａは感光ドラム、５、５ａは転写器、６、６ａは定着装置、７、７ａ、８、８ａは搬送ローラ、９、９ａ、１０、１０ａは正転／逆転切り替え可能な搬送ローラ、１１、１１ａは光学系、１２、１２ａはゲート部材、１３、１３ａは引込み路、１４、１４ａは送紙路、１５、１５ａは戻し路、１６、１６ａはゲート部材、２０、２１、２２は給紙ローラ、２５は第一電子写真印刷装置、２６は接続装置、２７は第二電子写真印刷装置、３０、３６は用紙冷却ファン、３１、３２、３３、３４、３５は用紙搬送路、５１、５２、５３、５４、６１、６２、６３、６４は搬送ローラ、５６、５８、６０、６５はモータ、５５、５７、５９、６６、６７、６８は用紙検出センサである。
【図１】
2005059991.tif 000003
【図２】
2005059991.tif 000004